(57)【特許請求の範囲】
【請求項１】
ドライヤー（１００）のドライヤー部分（１４４）のためのキットであって、該キット（１４８）は少なくとも２つのコンポーネント（１４６，１４６ａ，１４６ｂ、１４６ｃ）を含み、少なくとも一つの左手側壁コンポーネント（１４６，１４６ａ）は該ドライヤー（１００）の左手側壁部分（１１２）を含み、少なくとも一つの右手側壁コンポーネント（１４６，１４６ｂ）は該ドライヤー（１００）の右手側壁部分（１１４）を含み、少なくとも一つのコンポーネント（１４６，１４６ａ，１４６ｂ、１４６ｃ）は該ドライヤー（１００）の基底壁部分（１０８）及び／又は天井壁部分（１１０）と、該ドライヤー（１００）が組み立てられた状態で該ドライヤー（１００）を通って乾燥させようとするワークピースを搬送するための搬送装置（１０３）の搬送ユニット（１０４）を含み、該ドライヤー（１００）の該ドライヤー部分（１４４）は組立地点で該キット（１４８）の少なくとも２つのコンポーネント（１４６，１４６ａ，１４６ｂ、１４６ｃ）から組み立てられるように構成されていることを特徴とするキット。
【請求項２】
該基底壁部分（１０８）は少なくとも一つの空気フィード（１３０）を含み、該ドライヤー（１００）が組み立てられた状態でそれによって該ドライヤー（１００）の使用できるドライヤー・スペース（１０２）へ空気を送ることができることを特徴とする請求項１に記載のキット。
【請求項３】
該キット（１４８）の少なくとも一つのコンポーネント（１４６，１４６ａ，１４６ｂ）が側壁部分（１１２，１１４）と基底壁部分（１０８）を含むことを特徴とする請求項１又は２に記載のキット。
【請求項４】
該キット（１４８）の少なくとも一つのコンポーネント（１４６，１４６ａ，１４６ｂ）が予め製造されたコンポーネント（１４６，１４６ａ，１４６ｂ）であり、それが該ドライヤー（１００）の側壁部分（１１２，１１４）と天井壁部分（１１０）を含むことを特徴とする請求項１〜３のいずれか１項に記載のキット。
【請求項５】
該キット（１４８）の少なくとも一つのコンポーネント（１４６，１４６ａ，１４６ｂ、１４６ｃ）が基底壁部分（１０８）を含み、該ドライヤー（１００）が組み立てられた状態で、それが少なくとも該ドライヤー（１００）の使用できるドライヤー・スペース（１０２）の幅全体（Ｂ2）にわたって伸びていることを特徴とする請求項１〜４のいずれか１項に記載のキット。
【請求項６】
少なくとも一つのコンポーネント（１４６，１４６ａ，１４６ｂ、１４６ｃ）が基底壁部分（１０８）を含み、該ドライヤー（１００）が組み立てられた状態で、それが少なくとも該ドライヤー（１００）のほぼ幅全体（Ｂ1）にわたって伸びていることを特徴とする請求項１〜５のいずれか１項に記載のキット。
【請求項７】
該ドライヤー（１００）を通して乾燥させようとするワークピースを搬送するための該搬送装置（１０３）の該搬送ユニット（１０４）が、該搬送装置（１０３）の搬送方向（１０６）で互いに続く複数の担持ローラー・ユニット（１１７）を備え、どの場合にも担持ローラー（１２０）を受容する少なくとも一つの担持ローラー受容部（１１８）を有し、該ドライヤー（１００）が組み立てられた状態で、乾燥させようとするワークピースをその上に配置するように構成されたワークピース・キャリアをそこに載置できるようになっていることを特徴とする請求項１〜６のいずれか１項に記載のキット。
【請求項８】
該キット（１４８）は、該搬送装置（１０３）を駆動するための駆動装置（１２６）を備え、該駆動装置（１２６）は側壁部分（１１２，１１４）及び／又は基底壁部分（１０８）に配置されることを特徴とする請求項１〜７のいずれか１項に記載のキット。
【請求項９】
少なくとも一つのコンポーネント（１４６，１４６ａ，１４６ｂ、１４６ｃ）が側壁部分（１１２，１１４）を含み、該ドライヤー（１００）が組み立てられた状態で、それが少なくとも該ドライヤー（１００）の使用できるドライヤー・スペース１０２（１０２）の高さ全体（Ｈ2）にわたって伸びていることを特徴とする請求項１〜８のいずれか１項に記載のキット。
【請求項１０】
少なくとも一つのコンポーネント（１４６，１４６ａ，１４６ｂ、１４６ｃ）が側壁部分（１１２，１１４）を含み、該ドライヤー（１００）が組み立てられた状態で、それが少なくとも該ドライヤー（１００）のほぼ高さ全体（Ｈ1）にわたって伸びていることを特徴とする請求項１〜９のいずれか１項に記載のキット。
【請求項１１】
該搬送装置（１０３）の該搬送ユニット（１０４）が、該少なくとも一つのコンポーネント（１４６，１４６ａ，１４６ｂ、１４６ｃ）上に予め組み立てられていることを特徴とする請求項１〜１０のいずれか１項に記載のキット。
【請求項１２】
請求項１〜１１のいずれか１項に記載のキット（１４８）と、該少なくとも２つのコンポーネント（１４６，１４６ａ，１４６ｂ、１４６ｃ）の少なくとも一つの製造地点から該ドライヤー（１００）の組立地点までの該キット（１４８）の輸送の間、該キット（１４８）の該少なくとも２つのコンポーネント（１４６，１４６ａ，１４６ｂ、１４６ｃ）を受容する受容装置との組合せ。
【請求項１３】
請求項１〜１２のいずれか１項に記載のキット（１４８）を少なくとも一つ用いて製造できるドライヤー。
【請求項１４】
該ドライヤー（１００）は複数の基底壁部分（１０８）を含み、それらは該搬送装置（１０３）の搬送方向（１０６）で互いに続いて配置され、どの場合にも少なくとも一つの空気フィード（１３０）を備え、該基底壁部分（１０８）は該空気フィード（１３０）に空気を供給するために少なくとも一つの右手側壁部分（１１４）における少なくとも一つの供給チャンネル（１３８）と少なくとも一つの左手側壁部分（１１２）における少なくとも一つの供給チャンネル（１３８）へ交互に流体結合を有することを特徴とする請求項１３に記載のドライヤー。
【請求項１５】
ドライヤー（１００）のドライヤー部分（１４４）を製造する方法において、
ドライヤー（１００）の左手側壁部分（１１２）を含む少なくとも一つの左手側壁コンポーネント（１４６，１４６ａ）を製造するステップと、
ドライヤー（１００）の右手側壁部分（１１４）を含む少なくとも一つの右手側壁コンポーネント（１４６，１４６ｂ）を製造するステップであって、該少なくとも一つの左手側壁コンポーネント（１４６，１４６ａ）、該少なくとも一つの右手側壁コンポーネント（１４６，１４６ｂ）、又は少なくとも一つの別のコンポーネント（１４６，１４６ｃ）は、ドライヤー（１００）の基底壁部分（１０８）及び／又は天井壁部分（１１０）及びドライヤー（１００）が組み立てられた状態でドライヤー（１００）を通して乾燥させようとするワークピースを搬送するための複数の部品から組み立てられる搬送装置（１０３）の搬送ユニット（１０４）を含み、
該少なくとも２つのコンポーネント（１４６，１４６ａ，１４６ｂ、１４６ｃ）を該少なくとも２つのコンポーネント（１４６，１４６ａ，１４６ｂ、１４６ｃ）のそれぞれの製造地点からドライヤー（１００）の共通の組立地点へ輸送するステップと、
該組立地点で該少なくとも２つのコンポーネント（１４６，１４６ａ，１４６ｂ、１４６ｃ）からドライヤー部分（１４４）を組み立てるステップとを含む方法。
【請求項１６】
少なくとも一つのコンポーネント（１４６，１４６ａ，１４６ｂ，１４６ｃ）が、互いに脱離不可能に結合された複数のコンポーネント部品、互いに脱離可能に結合された複数のコンポーネント部品、及び互いに可動的に固定された複数のコンポーネント部品、から構成され、該コンポーネント（１４６，１４６ａ，１４６ｂ，１４６ｃ）が組立地点に輸送される前にそのような形で予め製造されることを特徴とする請求項１５に記載の方法。
【発明の詳細な説明】
【技術分野】
【０００１】
本発明はドライヤーのドライヤー部分のためのキットに関する。
【背景技術】
【０００２】
ドライヤーは、例えば、表面処理されたワークピース、特に塗装された車体又は車体の部品、を乾燥させ養生させるために用いられる。このために、そのワークピースはドライヤーを通して、例えばドライヤーの使用できるドライヤー・スペース内を、搬送される。特に、大きなワークピース、例えば車体、を乾燥させるときにはドライヤー自身も大きくなければならない。このような場合、ドライヤーを製造組立工場で製造して組み立てた状態で使用地点へ輸送することは不可能である。代わりにドライヤーは個々の部品として使用地点へ運び、そこで組み立てることが必要である。そのような場合、使用地点がドライヤーの組立地点となる。
【発明の概要】
【０００３】
本発明は、ドライヤーのドライヤー部分のためのキットを提供するという目的に基づいており、このキットは、ドライヤーをドライヤーの組立地点で少数のコンポーネント部品から製造することを可能にし、キットの製造地点からドライヤーの組立地点までキットを輸送を容易にする。
【０００４】
この目的は、本発明によって、ドライヤーのドライヤー部分のための次のようなキットによって達成される。このキットは、少なくとも２つのコンポーネント、すなわち、ドライヤーの左手側壁部分を含む少なくとも一つの左手側壁コンポーネント、ドライヤーの右手側壁部分を含む少なくとも一つの右手側壁コンポーネント、及びドライヤーの基底壁部分及び／又は天井壁部分を含む少なくとも一つのコンポーネント、及びドライヤーが組み立てられた状態で乾燥しようとするワークピースをドライヤーを通して搬送するための搬送装置の搬送ユニットを含み、ドライヤーのドライヤー部分はキットの少なくとも２つのコンポーネントから組立地点で組み立てられるように構成される。
【０００５】
車体又は車体の部品のためのドライヤーは、特に、本発明のキットによって製造できる。
【０００６】
キットはドライヤー部分のための少数の、高々４つの、コンポーネントしか含まないことが好ましい。したがって、ドライヤーのドライヤー部分のためのコンポーネント・パーツの数はきわめて少ない。
【０００７】
キットの予め製造されたコンポーネントは基本的に互いに同一であってもよく、又は互いに異なってもよい。
【０００８】
基底壁部分を含むコンポーネントは基底壁コンポーネントと呼ばれる。
【０００９】
天井壁部分を含むコンポーネントは天井壁コンポーネントと呼ばれる。
【００１０】
本発明によるキットでは、どの場合も、キットのコンポーネントのうち少なくとも２つが互いに同一であることが好ましい。その場合キットは、例えば、一つの側壁部分（右手又は左手側壁コンポーネント）と一つの基底壁及び／又は天井壁部分（基底壁コンポーネント及び／又は天井壁コンポーネント）の両方を含む少なくとも一つのコンポーネントを有する。その結果、ドライヤーのドライヤー部分のドライヤー組立地点での組み立てはさらに容易になる。
【００１１】
このように、左手側壁コンポーネントは、特に基底壁コンポーネント及び／又は天井壁コンポーネントと同一にすることができる。同様に、右手側壁コンポーネントは、特に基底壁コンポーネント及び／又は天井壁コンポーネントと同一にすることができる。
【００１２】
少なくとも一つのコンポーネントが予め製造されたコンポーネントであると有利である。本明細書及び添付クレームにおける“予め製造されたコンポーネント”とは、個別に完成されて、ドライヤーのドライヤー部分を形成するためには他のコンポーネントと結合するだけでよい機能単位である。したがって、組み立て地点でドライヤーのドライヤー部分を製造するためにはキットのコンポーネントを互いに結合させることができる結合要素だけが必要である。しかし、予め製造されたコンポーネントの場合、ドライヤーのドライヤー部分を完全に組み立てるために、キットのコンポーネントにそれ以外の機能的要素を取り付ける必要がないことが好ましい。
【００１３】
予め製造されたコンポーネントとは、例えば、複数のコンポーネント部品が一体化される形で互いに結合されて製造されたドライヤー部品である。しかし、その前の一つ（以上）の加工ステップで、脱離可能に互いに機械的に結合された（特にねじ止めされた）又は脱離不可能に機械的に結合された（特にリベット止めされた）コンポーネント（ドライヤーの部品システム）もある。別の形として、複数のステップで形成され（特に、圧延、折り曲げ、鋳造）、実質的に一つのパーツに構成されたいろいろな部分がドライヤーで異なる機能を有する（天井、側壁、基底壁）コンポーネントも用意することができる。
【００１４】
電気系統、空気圧系統又は油圧系統を予め製造されたコンポーネントに一体化して組み込み、組立地点へ輸送する前にコンポーネントの可動部分の機能テストをすることができると有利である。
【００１５】
さらに、搬送装置の少なくとも一つの搬送ユニットを少なくとも一つのコンポーネントに予め組み立てておくと有利である。本明細書及び添付クレームにおける“予め組み立てられた搬送ユニット”とは、剛体的に配置される全てのコンポーネント部品は既に互いに結合され、特にドライヤーの基底壁部分及び／又は天井壁部分に組み込まれている搬送ユニットを意味するものとする。ドライヤーが動作できるようにするためには、実質的には離れた状態にある部品、例えば、予め組み立てられた搬送ローラー受容部の搬送ローラー又は搬送ローラーを駆動するためのシャフト、だけを組み立てればよいようにすることが好ましい。
【００１６】
ドライヤーは、ドライヤーの長手方向に互いに続く複数のドライヤー部分から組み立てられることが好ましい。ドライヤーの長手方向とは、具体的には、搬送装置の搬送方向である。
【００１７】
ドライヤー部分はまた、ドライヤーの“ドライヤー・モジュール”とも呼ばれる。
【００１８】
本発明のある構成形態では、基底壁部分は少なくとも一つの空気フィードを備え、それによってドライヤーの組み立てられた状態で空気をドライヤーの使用できるドライヤー・スペースに送給できるようにする。このようにして、例えば、使用できるドライヤー・スペースを通って運ばれる車体に空気を下から送って、ワークピースの下方部分でワークピース、言い換えると車体、の乾燥及び／又は養生を加速させることができる。
【００１９】
側壁部分を含む少なくとも一つのコンポーネントが少なくとも一つの空気フィードを備え、それによってドライヤーの組み立てられた状態で空気をドライヤーの使用できるドライヤー・スペースに送給できると有利である。このようにして、空気を、特に、使用できるドライヤー・スペースを通って搬送されるワークピースの一方の側に空気を送ってそのワークピースを乾燥させることができる。
【００２０】
側壁部分を含む少なくとも一つのコンポーネントが少なくとも一つの供給チャンネルを備え、それを用いて側壁部分の少なくとも一つの空気フィード及び／又は基底壁部分の少なくとも一つの空気フィードに空気を供給するようになっていると有利である。それによって、空気フィードに空気を供給するのに、ドライヤーのドライヤー部分の外側にそれ以外の外部供給チャンネルの必要がなくなる。空気フィードへの空気の供給は、ドライヤーのドライヤー部分に組み込まれた供給チャンネルによって行われる。
【００２１】
本発明のある構成形態では、キットの少なくとも一つのコンポーネント、好ましくは予め製造されたコンポーネント、は側壁部分と基底壁部分を含むようになっている。ドライヤーのドライヤー部分の組立地点での側壁部分の基底壁部分への組立はこれによって容易になる。
【００２２】
例えば、少なくとも一つの右手側壁コンポーネントが右手側壁部分と基底壁部分を含む、又は少なくとも一つの左手側壁コンポーネントが左手側壁部分と基底壁部分を含むようにすることができる。
【００２３】
好ましくは側壁部分と基底壁部分を含む少なくとも一つのコンポーネントの予め製造された状態で、側壁部分と基底壁部分が互いに枢支的に結合されていると有利である。その結果、その少なくとも一つのコンポーネントはコンポーネントの製造地点からドライヤーのドライヤー部分の組立地点へスペースを節約する形で輸送できる。
【００２４】
本発明のある展開形態では、キットの少なくとも一つのコンポーネントはドライヤーの天井壁部分を含むようになっている。
【００２５】
特に、ここでキットの少なくとも一つのコンポーネントは側壁部分と天井壁部分を含むようにすることもできる。
【００２６】
例えば、キットの少なくとも一つの右手側壁コンポーネントが右手側壁部分と天井壁部分を含む、又は少なくとも一つの左手側壁コンポーネントが左手側壁部分と天井壁部分を含む。
【００２７】
好ましくはこの少なくとも一つのコンポーネントの予め製造された状態で、側壁部分と天井壁部分が互いに枢支的に結合されていると有利である。これによって、この少なくとも一つのコンポーネントを製造地点からドライヤーのドライヤー部分の組立地点へコンパクトに輸送することが可能になる。
【００２８】
本発明のある構成形態では、少なくとも一つのコンポーネントが基底壁部分を含み、ドライヤーが組み立てられた状態でそれが少なくともドライヤーの使用できるドライヤー・スペースの幅全体にわたって伸びているようにすることができる。このようにして、その少なくとも一つのコンポーネントの製造の時点て基底壁部分が既に、ドライヤーの使用できるドライヤー・スペースの幅全体にわたって連続している、言い換えると伸びているようにすることができるので、ドライヤーのドライヤー部分の組立のために使用できるドライヤー・スペースの基底の領域で、水平方向そして搬送装置の搬送方向と直角に、いろいろな基底壁部分の間にそれ以上の結合部を製造する必要がない。
【００２９】
使用できるドライヤー・スペースとは、ここでは、ドライヤーが組み立てられた状態で、乾燥させようとするワークピースを、好ましくは使用できるドライヤー・スペースを通してワークピースを搬送する間に乾燥させることができるスペースである。
【００３０】
使用できるドライヤー・スペースの幅とは、この場合、搬送装置の搬送方向に直角な方向での使用できるドライヤー・スペースの水平方向の拡がりである。
【００３１】
しかし、本発明の別の構成形態では、少なくとも一つのコンポーネントの基底壁部分はまた、ドライヤーが組み立てられた状態で、ドライヤーの使用できるドライヤー・スペースの幅全体だけよりも大きく伸びている。すなわち、例えば、この少なくとも一つのコンポーネントの基底壁部分がドライヤーの使用できるドライヤー・スペースの幅にわたって伸び、さらにドライヤーのドライヤー部分の少なくとも一つの側壁部分の幅にわたって伸びるようにすることができる。
【００３２】
さらに、少なくとも一つのコンポーネントが基底壁部分を含み、ドライヤーが組み立てられた状態で、それが少なくともドライヤーが組み立てられた状態の幅のほぼ全体にわたって伸びるようにすることができる。
【００３３】
ドライヤーの幅とは、この場合、組み立てられた状態のドライヤーの搬送装置の搬送方向に直角な方向でのドライヤーの水平方向の拡がりである。
【００３４】
本発明のある構成形態では、搬送装置の搬送ユニットは、搬送装置の搬送方向で互いに続き、乾燥させようとするワークピースをドライヤーを通して搬送する複数の担持ローラー・ユニットを含み、上記担持ローラー・ユニットはどの場合も担持ローラーを受け入れる少なくとも一つの担持ローラー受容部を有し、乾燥させようとするワークピースを配置するように構成されたワークピース・キャリアを、ドライヤーが組み立てられた状態で、それに載置できる。その結果、搬送ユニットのきわめてシンプルな構成が可能であり、それによりコンパクトな基底壁部分を製造できる。
【００３５】
ワークピース・キャリアは、例えば、スキッド・フレーム（skid frame）として構成できる。“スキッド・フレーム”とは、この場合、ワークピースの同じ方向に向けられ、ワークピースの搬送方向と直角な方向に間隔をあけた少なくとも２つのスキッド・ランナーを備え、各スキッド・ランナーは搬送装置上に、特に搬送ユニットの担持ローラー・ユニット上に、スキドオ・フレームを支持する支持面を有するワークピース・キャリアを意味する。
【００３６】
キットは、搬送装置を駆動する駆動装置を含むことが好ましい。これにより、ドライヤーが組み立てられた状態で、ワークピースは自動的にドライヤーを通って運ばれる。
【００３７】
駆動装置は、例えば、駆動シャフトとして構成することができる。駆動装置は、好ましくはそれに加えてモータを備える。
【００３８】
駆動装置が少なくとも部分的にドライヤー基底部の外側に配置されると有利である。
【００３９】
しかし、それに代わる形として、ドライヤーのドライヤー部分のためのキットの少なくとも一つのコンポーネント、例えば基底部分を含むコンポーネント、が駆動装置の受容部を備えるようにすることもできる。
【００４０】
搬送装置を駆動する駆動装置が側壁部分及び／又は基底壁部分に配置されると有利であろう。
【００４１】
特に、駆動装置は基底壁部分の受容部に配置するように構成されるとしてもよい。
【００４２】
本発明のある構成形態では、少なくとも一つのコンポーネントが側壁部分を含み、ドライヤーが組み立てられた状態で、それが少なくともドライヤーの使用できるドライヤー・スペースの高さ全体にわたって伸びるようにしている。これにより、側壁部分の二部構成を回避することができ、組立地点でのドライヤーのドライヤー部分の組立が容易になる。
【００４３】
使用できるドライヤー・スペースの高さとは、本明細書及び添付クレームにおいては、ドライヤーが完全に組み立てられた状態で搬送装置の搬送方向と直角の方向での使用できるドライヤー・スペースの垂直方向の拡がりを意味するものとする。
【００４４】
本発明のある好ましい構成形態では、少なくとも一つのコンポーネントが側壁部分を含み、ドライヤーが組み立てられた状態で、それが少なくともドライヤーのほぼ高さ全体にわたって伸びるようになる。
【００４５】
ドライヤーの高さとは、この場合、搬送装置の搬送方向と直角の方向での組み立てられた状態のドライヤーの垂直方向の拡がりである。
【００４６】
本発明に係わるキットは、特に、少なくとも２つのコンポーネントの製造地点からドライヤーの組立地点までのキットの輸送の間キットの少なくとも２つのコンポーネントを受容する受容装置とキットを組み合わせて用いるのに特に適している。
【００４７】
ドライヤーの組立地点におけるドライヤーのドライヤー部分のコンポーネント・パーツの特に容易で好適な提供は本発明による組合せによって可能である。
【００４８】
キットと受容装置の本発明に係わる組合せは、本発明に係わるキットに関連して上で説明した特徴及び／又は利点を有することが好ましい。
【００４９】
本発明は、また、本発明に係わる少なくとも一つのキットを用いて製造できるドライヤーに関する。特に、これは、本発明に係わる少なくとも一つのキットを用いて製造されるドライヤーであってよい。
【００５０】
本発明に係わるドライヤーは、本発明に係わるキット及び／又は本発明に係わる組合せに関連して上で説明した特徴及び／又は利点を有することが好ましい。
【００５１】
ドライヤーのある好適な構成形態では、ドライヤーは複数の基底壁部分を有し、それらは搬送装置の搬送方向で互いに続いて配置され、それぞれの場合に、少なくとも一つの空気フィードを備え、基底壁部分は少なくとも一つの右手側壁部分にある少なくとも一つの供給チャンネルと少なくとも一つの左手側壁部分にある少なくとも一つの供給チャンネルに交互に流体結合されて空気フィードに空気を供給する。このようにして、基底壁部分への、したがって基底壁部分における少なくとも一つの空気フィードへの一様な空気フィードが可能である。
【００５２】
本発明はさらにドライヤーのドライヤー部分を製造する方法に関する。
【００５３】
本発明は、組立地点へドライヤーのドライヤー部分を容易に輸送し、ドライヤーをそこで容易に完成できるようにするという目的に基づいている。
【００５４】
この目的は、本発明によって、その方法が次のステップ、すなわち、
ドライヤーの左手側壁部分を含む少なくとも一つの左手側壁コンポーネントを製造するステップと、
ドライヤーの右手側壁部分を含む少なくとも一つの右手側壁コンポーネントを製造するステップであって、該少なくとも一つの左手側壁コンポーネント、該少なくとも一つの右手側壁コンポーネント、又は少なくとも一つの別のコンポーネントは、ドライヤーの基底壁部分及び／又は天井壁部分及びドライヤーが組み立てられた状態でドライヤーを通して乾燥させようとするワークピースを搬送するための複数の部品から組み立てられた搬送装置の搬送ユニットを含む、
該少なくとも２つのコンポーネントを該少なくとも２つのコンポーネントのそれぞれの製造地点からドライヤーの共通の組立地点へ輸送するステップ、
該組立地点で該少なくとも２つのコンポーネントからドライヤー部分を組み立てるステップと、を含む方法であることによって達成される。
【００５５】
本発明に係わる方法は、本発明に係わるキット、本発明に係わる組合せ、及び／又は本発明に係わるドライヤーに関連して上で説明した特徴及び／又は利点を有することが好ましい。
【００５６】
本発明のある構成形態では、コンポーネントの少なくとも一つは、互いに脱離不可能に結合された（又は、一体となるように接合された）複数のコンポーネント部品と、互いに脱離可能に結合された複数のコンポーネント部品と、互いに可動的に固定された複数のコンポーネント部品から構成され、コンポーネントを組立地点に輸送する前にそのような形で予め製造されるようになっている。
【００５７】
さらに、本発明に係わるキット、本発明に係わる組合せ、本発明に係わるドライヤー、及び／又は本発明に係わる方法は、好ましくは、下にリストするような特徴及び／又は利点を有する。
【００５８】
ドライヤーのドライヤー部分は、組み立てられた状態で、例えば約１ｍから例えば約１２ｍまでの長さを有する。
【００５９】
搬送ユニットは、例えば、モノレール・コンベヤー、特に倒立モノレール・コンベヤー（ＩＭＣ）、チェーン・コンベヤー、特にダブルチェーン・コンベヤー、又はローラー・コンベヤーなどである。
【００６０】
搬送ユニットは、好ましくは、搬送方向で互いに続く複数の担持ローラー・ユニットから成るシステムであり、それはどの場合にも、少なくとも一つの担持ローラーを有し、担持ローラー・ユニットは好適に凹ませたそれぞれの基底壁部分に、特に別々に、配置される。このタイプの搬送ユニットは、例えば、対流組込コンベヤー（ＣＩＣ）である。
【００６１】
搬送装置の搬送ユニットが基底壁部分と一体化されていると有利である。
【００６２】
特に、ドライヤーを通して乾燥させようとするワークピースを搬送する搬送ユニットが、ドライヤーが組み立てられた状態で、ドライヤーの基底壁部分に引っ込ませて配置されている場合、ドライヤーの全体的な高さは特に小さくなる。
【００６３】
本発明に係わるキットは、好ましくは、ドライヤー部分のための折りたたみシステム（ドライヤー・トンネル・モジュール）を含む。
【００６４】
本発明のその他の特徴及び／又は利点は、以下の説明と実施形態の図面によって示される。
【図面の簡単な説明】
【００６５】
【図１】図１は、ドライヤーの第１の実施形態を、ドライヤーの搬送装置の搬送方向から見て示す概略断面図である。
【図２】図２は、ドライヤーの第１の実施形態のドライヤー部分が組み立てられるように構成されたキットの３つのコンポーネントを示す概略図である。
【図３】図３は、ドライヤーの第１の実施形態のドライヤー部分が組み立てられるように構成されたキットの３つのコンポーネントを示す概略図である。
【図４】図４は、図３のキットの３つのコンポーネントを示す概略図であり、あるコンポーネントの天井壁部分が同じコンポーネントの側壁部分に枢支されている。
【図５】図５は、図３のキットの３つのコンポーネントを示す概略図であり、あるコンポーネントの天井壁部分が同じコンポーネントの側壁部分に完全に枢支されている。
【図６】図６は、ドライヤーの第２の実施形態の図１に対応する概略図であり、これはキットの４つのコンポーネントから組み立てられるように構成されている。
【図７】図７は、ドライヤーの第２の実施形態の図６に対応する図であり、ドライヤーのドライヤー部分のためのキットの個別コンポーネントは結合要素によって結合されていない。
【図８】図８は、ドライヤーの第２の実施形態の図６に対応する図であり、ドライヤーのドライヤー部分のためのキットのあるコンポーネントである天井壁部分が残りのコンポーネントから取り外されている。
【図９】図９は、ドライヤーの第２の実施形態の図８に対応する図であり、ドライヤーのドライヤー部分のためのキットの４つのコンポーネントが互いに結合されていない。
【図１０】図１０は、ドライヤーの第３の実施形態の図１に対応する図であり、これは３つのコンポーネントのキットから製造することができ、一つのコンポーネントが側壁を含み、ドライヤーが組み立てられた状態でそれが実質的にドライヤーの高さ全体にわたって伸びている。
【図１１】図１１は、ドライヤーの第３の実施形態の図１０に対応する図であり、ドライヤーのドライヤー部分のためのキットの個別コンポーネントは互いに結合要素によって結合されていない。
【図１２】図１２は、ドライヤーの第３の実施形態の図１１に対応する図であり、側壁を含むあるコンポーネントが残りのコンポーネントから取り外されている。
【図１３】図１３は、ドライヤーの第３の実施形態の図１２に対応する図であり、ドライヤーのドライヤー部分のためのキットの３つのコンポーネント全部が互いから取り外されており、ドライヤーの左手側壁部分と共にキットの一つのコンポーネントを構成する天井壁部分が左手側壁部分に枢支されている。
【図１４】図１４は、ドライヤーの第３の実施形態の図１３に対応する概略図であり、天井壁部分は左手側壁部分に完全に枢支されている。
【図１５】図１５は、ドライヤーの第４の実施形態の図１に対応する概略図であり、キットの２つのコンポーネントから組み立てられるように構成されている。
【図１６】図１６は、ドライヤーの第４の実施形態の図１５に対応する概略図であり、ドライヤーのドライヤー部分のためのキットの２つのコンポーネントは互いに結合要素によって結合されていない。
【図１７】図１７は、ドライヤーの第４の実施形態の図１６に対応する概略図であり、ドライヤーのドライヤー部分のためのキットの２つのコンポーネントは互いから取り外されている。
【図１８】図１８は、ドライヤーの第４の実施形態の図１７に対応する概略図であり、基底壁部分は右手側壁部分に結合されて後者に枢支され、天井壁部分は左手側壁部分に結合されて後者に枢支されている。
【図１９】図１９は、ドライヤーの第４の実施形態の図１８に対応する概略図であり、基底壁部分は右手側壁部分に完全に枢支され、天井壁部分は左手側壁部分に完全に枢支されている。
【図２０】図２０は、ドライヤーの第５の実施形態の図１に対応する概略図であり、これはドライヤーのドライヤー部分のためのキットの４つのコンポーネントから組み立てられるように構成されている。
【図２１】図２１は、ドライヤーの第５の実施形態の図２０に対応する概略図であり、ドライヤーのドライヤー部分のためのキットの４つのコンポーネントは互いに結合要素によって結合されていない。
【図２２】図２２は、ドライヤーの第５の実施形態の図２１に対応する概略図であり、キットの一つのコンポーネントを成す天井壁部分が残りのコンポーネントから取り外されている。
【図２３】図２３は、ドライヤーの第５の実施形態の図２２に対応する概略図であり、ドライヤーのドライヤー部分のためのキットの４つのコンポーネントが互いから取り外されている。
【図２４】図２４は、ドライヤーの第６の実施形態の図１に対応する概略図であり、空気フィードはドライヤーの基底壁部分にない。
【発明を実施するための形態】
【００６６】
同じ要素又は機能的に同等の要素は全ての図面で同じ参照数字で表される。
【００６７】
全体が“１００”で指定される図１〜５に示された第１の実施形態は、例えば、表面処理されたワークピース（図示せず）、特に塗装された車体及び／又は車体部品を乾燥させ及び／又は養生させるために用いられる。
【００６８】
特に、図１から推測できるように、ドライヤー１００は、このために使用できるドライヤー・スペース１０２を含み、乾燥させようとするワークピースはそこに配置される。特に、乾燥させようとするワークピースは、複数の搬送ユニット１０４を含む搬送装置１０３によって使用できるドライヤー・スペース１０２を通って搬送方向１０５に搬送することができる。
【００６９】
ドライヤー１００は実質的に立方体様であり、基底壁部分１０８、天井壁部分１１０，左手側壁部分１１２，及び右手側壁部分１１４を含む。
【００７０】
基底壁部分１０８は、この場合、天井壁部分１１０と共に使用できるドライヤー・スペース１０２を垂直方向で限定する。水平方向及び搬送方向１０６と直角の方向では、使用できるドライヤー・スペース１０２は左手側壁部分１１２と右手側壁部分１１４によって限定される。
【００７１】
基底壁部分１０８は、ドライヤー１００をフロアスペース（図示せず）に支持するための支持フィート１１６を含む。
【００７２】
基底壁部分１０８は、ドライヤー１００が組み立てられた状態で、ドライヤー１００の幅全体Ｂ1にわたって伸び、乾燥させようとするワークピースを使用できるドライヤー・スペース１０２を通して搬送するための搬送装置１０３の少なくとも一つの搬送ユニット１０４を含む。
【００７３】
搬送ユニット１０４は、搬送方向１０６で互いに続くように配置され、いずれの場合にも少なくとも一つの担持ローラー・ユニット１１７を含み、それは担持ローラー１２０を受容するための少なくとも一つの担持ローラー受容部を含み、ワークピース・キャリアはそれに支持されてワークピースを受容する。
【００７４】
搬送装置１０３の担持ローラー１２０は、シャフト１２２によって駆動され、それはさらにモータ１２４によって回転させられる。
【００７５】
モータ１２４は、この場合、シャフト１２２と共に、駆動装置１２５のコンポーネント部品として、搬送装置１０３によって搬送されるワークピースを自動的に駆動する。
【００７６】
基本的に、各担持ローラー１２０ごとに別々の駆動装置を設ける必要はない。ただ一つの駆動装置１２６を用いてチェーン又はアングル歯車によって複数の担持ローラー１２０を駆動することができる。特に、コンポーネント１４６（後述）及び／又はドライヤー部分１４４あたりただ一つの駆動装置１２６を設けることができる。
【００７７】
さらに、基底壁部分１０８は、空気シャフト１２８を含み、それによって空気を、例えば、ノズルとして構成された複数の空気フィード１３０に送ることができる。
【００７８】
この空気は次に空気フィード１３０を通して使用できるドライヤー・スペース１０２に送ることができる。
【００７９】
左手側壁部分１１２と右手側壁部分１１４は基底壁部分１０８上に配置される。
【００８０】
左手側壁部分１１２と右手側壁部分１１４は、この場合、ドライヤー１００の垂直な長手方向中央平面１３２に関して実質的に互いに鏡像対称に構成され、いずれの場合にも外側壁１３４を含み、それは同時にドライヤー１０４の外側壁１３４を構成し、好ましくは熱的に絶縁性である。
【００８１】
使用できるドライヤー・スペース１０２に面する左手側壁部分１１２と右手側壁部分１１４のそれぞれの側に、左手側壁部分１１２と右手側壁部分１１４にはフィルター・ボックス１３６が設けられ、それらは使用できるドライヤー・スペース１０２のほぼ高さ全体Ｈ2にわたって伸びている。
【００８２】
空気フィード１３０に空気を供給する供給チャンネル１３８が、フィルター・ボックス１３６と外側壁１３４によって左手側壁部分１１２と右手側壁部分１１４にそれぞれ形成される。
【００８３】
フィルター・ボックス１３６は複数のフィルター１４０を含み、それを通って供給チャンネル１３８からの空気がフィルター・ボックス１３６に到達する。フィルター１４０によって、送られる空気から不純物が除かれる。
【００８４】
フィルター・ボックス１３６を使用できるドライヤー・スペース１０２の方へ限っている左手側壁部分１１２の内側壁１４２と右手側壁部分１１４の対応する内側壁１４２には、複数の、例えば、それぞれ５つの空気フィード１３０が設けられ、空気を基底壁部分１０８によって、さらに左手側壁部分１１２と右手側壁部分１１４によって、使用できるドライヤー・スペース１０２に送ることができる。
【００８５】
天井壁部分１１０は、右手側壁部分１１４と左手側壁部分１１２の間で使用できるドライヤー・スペース１０２の幅全体Ｂ2にわたって伸び、使用できるドライヤー・スペース１０２を上方に封止し熱的に絶縁するためにだけ用いられる。
【００８６】
図面からは、ドライヤー１００を搬送方向１０６に互い続く複数のドライヤー部分１４４から形成できることは見てとれない。
【００８７】
各ドライヤー部分１４４は、ドライヤー１００のドライヤー部分１４４のためのキット１４８の少数の予め製造されたコンポーネント１４６からここで組み立てられるように構成されることが好ましい。
【００８８】
上述したドライヤー１００の第１の実施形態は次のように機能する。
【００８９】
左手側壁部分１１２と右手側壁部分１１４における空気フィード１３０によって使用できるドライヤー・スペース１０２に送給できる空気は、供給チャンネル１３８を通って左手側壁部分１１２と右手側壁部分１１４のフィルター・ボックス１３６に送られる。さらに、右手側壁部分１１４のフィルター・ボックス１３６と基底壁部分１０８の空気シャフト１２８の間の流体結合によって基底壁部分１０８における空気フィード１３０への空気の供給が保証されるので、空気は基底壁部分１０８によっても使用できるドライヤー・スペース１０２に送られる。
【００９０】
搬送装置１０３によって搬送方向１０６に使用できるドライヤー・スペース１０２を通って搬送されるワークピース、例えば車体、に送られる空気が当てられ、乾燥される。
【００９１】
ワークピースはここでは駆動装置によって自動的に搬送される。
【００９２】
図１〜５から推測されるように、ドライヤー１００の第１の実施形態は、ドライヤー１００の少なくとも一つのドライヤー部分１４４を除き、キット１４８によって３つのコンポーネント１４６から組み立てることができる。
【００９３】
第１のコンポーネント１４６ａは左手側壁コンポーネント１４６ａであると同時に天井壁コンポーネント１４６ａである。それは左手側壁部分１１２と天井壁部分１１０を含み、天井壁部分１１０は左手側壁部分１１２に枢支されているからである。
【００９４】
第２のコンポーネント１４６ｂは右手側壁コンポーネント１４６ｂであり、右手側壁部分１１４を含む。
【００９５】
第３のコンポーネント１４６ｂは基底壁コンポーネント１４６ｃであり、基底壁部分１０８を含む。
【００９６】
特に図５から推察されるように、キット１４８の輸送に関して第１のコンポーネント１４６ａの拡がりは天井壁部分１１０の状態によって最小になる、すなわち、それを左手側壁部分１１２に完全に枢支された状態で最小になる。
【００９７】
キット１４８の３つのコンポーネント１４６はドライヤー１００のドライヤー部分１４４の組立地点で組み立てることができ、最初は左手側壁部分１１２と右手側壁部分１１４を基底壁部分１０８に載置するだけである。次に、天井壁部分１１０が水平位置に枢支される。最後に、ドライヤー１００のドライヤー部分１４４の機械的安定性を生み出すためにこれらのコンポーネント１４６の間に結合要素１５０も配置しなければならない。
【００９８】
これらのコンポーネント１４６の間の結合箇所はぴったり溶接して、空気が使用できるドライヤー・スペース１０２から望ましくない仕方で流れ出すことを防ぐことができる。
【００９９】
図６〜９に示されたドライヤー１００の第２の実施形態は、ドライヤー１００のドライヤー部分１４４を製造するために４つのコンポーネント１４６が用意されるという点だけが図１〜５に示された第１の実施形態と異なる。ここでは、天井壁部分１１０は左手側壁部分１１２に結合されていない。天井壁部分１１０は別に製造され、別に輸送される。
【０１００】
それ以外では、図６〜９に示された第２の実施形態は、図１〜５に示された第１の実施形態と構造及び機能に関して一致しており、その点に関しては上の説明を参照されたい。
【０１０１】
図１０〜１４に示されたドライヤー１００の第３の実施形態は、図１〜５に示された第１の実施形態と、特に、基底壁部分１０８がドライヤー１００の幅全体Ｂ1にわたって伸びていないという点が異なる。左手側壁部分１１２は基底壁部分１０８に配置されず、ドライヤー１００が組み立てられた状態でドライヤーの高さ全体Ｈ1にわたって伸びている。したがって、基底壁部分１０８はキット１４８のコンポーネント１４６の結合に関しては、側方に左手側壁部分１１２にはいちされてそれに結合される。
【０１０２】
それ以外では、図１０〜１４に示された第３の実施形態は、図１〜５に示された第１の実施形態と構造及び機能に関して一致しており、その点に関しては上の説明を参照されたい。
【０１０３】
図１５〜１９に示されたドライヤー１００の第４の実施形態は、図１０〜１４に示された第３の実施形態とは、左手側壁部分１１２がドライヤー１００の高さ全体Ｈ1にわたって伸びているだけでなく、右手側壁部分１１４もそうであるという点が異なる。
【０１０４】
したがって、基底壁部分１０８と天井壁部分１１０は両方とも、ドライヤー１００が組み立てられた状態で使用できるドライヤー・スペース１０２の幅Ｂ2にわたってしか伸びていない。
【０１０５】
ドライヤー１００の第４の実施形態では、基底壁部分１０８が右手側壁部分１１４に枢支的に配置されるようになっている。
【０１０６】
したがって、天井壁部分１１０を左手側壁部分１１２上に折りたたんで、ドライヤー１００の第４の実施形態のドライヤー部分１４４を製造するキット１４８の２つのコンポーネント１４６を輸送することができる。さらに、基底壁部分１０８は右手側壁部分１１４上に折りたたむことができる。
【０１０７】
それ以外では、図１５〜１９に示された第４の実施形態は、図１０〜１４に示された第３の実施形態と構造及び機能に関して一致しており、その点に関しては上の説明を参照されたい。
【０１０８】
図２０〜２３に示されたドライヤー１００の第５の実施形態は、図６〜９に示された第２の実施形態とは、左手側壁部分１１２と右手側壁部分１１４がドライヤー１００の高さ全体Ｈ1にわたって伸び、したがって２つの別々のコンポーネント１４６，すなわち天井壁部分１１０と基底壁部分１０８が用意され、ドライヤーが組み立てられた状態で、それらが使用できるドライヤー・スペース１０２の幅Ｂ2だけにしか伸びていないという点が異なる。
【０１０９】
したがって、ドライヤー１００の第５の実施形態では、キット１４８の４つのコンポーネントがドライヤー１００のドライヤー部分１４４を製造するために用意される。
【０１１０】
それ以外では、図２０〜２３に示された第５の実施形態は、図６〜９に示された第２の実施形態と構造及び機能に関して一致しており、その点に関しては上の説明を参照されたい。
【０１１１】
図２４に示されたドライヤー１００の第６の実施形態は、図１〜５に示された第１の実施形態とは、基底壁部分１０８に何も空気フィードが設けられていないという点で実質的に異なる。したがって、基底壁部分１０８の空気シャフトとフィルター・ボックスの間の流体結合は必要ないので、左手側壁部分１１２と右手側壁部分１１４におけるフィルター・ボックス１３６は必ずしも基底壁部分１０８の上側まで伸びていない。
【０１１２】
上述した第１の実施形態から第５までの実施形態は、全て、空気フィード１３０が基底壁部分１０８に組み込まれ手いると記載している。しかし、ドライヤー１００の第６の実施形態の構成によれば、他の第１の実施形態から第５までの実施形態もそれぞれ基底壁部分１０８を通る空気の送給なしに構成できる。
【０１１３】
ドライヤー１００の図示した実施形態はドライヤー部分１４４から建造でき、ドライヤー部分１４４はさらにキット１４８のコンポーネント１４６から組み立てられるように構成されているので、ドライヤー１００の予め製造されたパーツはドライヤー１００の組立地点までのきわめて容易な輸送が可能である。さらに、ドライヤー１００を組み立てるのに必要なコンポーネント・パーツの数、したがってドライヤー１００の組立に要する時間は、コンポーネント１４６の数によって、特にコンポーネント１４６の基底壁部分における搬送装置の予め組み立てられた搬送ユニット１０４を利用することによって、減少する。
【図１】
0005519870.tif 000002
【図２】
0005519870.tif 000003
【図３】
0005519870.tif 000004
【図４】
0005519870.tif 000005
【図５】
0005519870.tif 000006
【図６】
0005519870.tif 000007
【図７】
0005519870.tif 000008
【図８】
0005519870.tif 000009
【図９】
0005519870.tif 000010
【図１０】
0005519870.tif 000011
【図１１】
0005519870.tif 000012
【図１２】
0005519870.tif 000013
【図１３】
0005519870.tif 000014
【図１４】
0005519870.tif 000015
【図１５】
0005519870.tif 000016
【図１６】
0005519870.tif 000017
【図１７】
0005519870.tif 000018
【図１８】
0005519870.tif 000019
【図１９】
0005519870.tif 000020
【図２０】
0005519870.tif 000021
【図２１】
0005519870.tif 000022
【図２２】
0005519870.tif 000023
【図２３】
0005519870.tif 000024
【図２４】
0005519870.tif 000025